(57)【要約】  【課題】  開封後１回の使用で使い切る茶の収容袋で、収容した粉末の茶を他容器へ注出する時に順調に注出でき、而もこぼれ落ちたり、飛散したりするおそれのない収納袋を提供するにある。  【解決手段】  表面部２と裏面部３を重ね合わせ、その態様でそれらの周囲の接合面４を接合して成る偏平状の収納袋であって、  偏平な収容袋はその一部に偏平な三角形状部５が形成され、その三角形状部５の先端領域６に切取線１０が表示され、この切取線１０の切除により注出口１１を生ぜしめ、その注出口１１が形成されている部分１２の幅ＷはペットボトルＢの口Ｃの内径Ｐ内に納まる程度に区画されている。  【選択図】  図８
2006056547.tif 000002
【特許請求の範囲】
【請求項１】
表面部（２）と裏面部（３）を重ね合わせ、その態様でそれらの周囲の接合面（４）を接合して成る偏平状の収納袋であって、その一部分を切取線に沿って切除することによりできる注出口より中の茶の粉末を外へ注出するようにした茶の粉末収容袋に於いて、
この偏平な収容袋はその一部に偏平な三角形状部（５）が形成され、その三角形状部（５）の先端領域（６）に上記切取線（１０）が表示され、この切取線（１０）の切除により注出口（１１）を生ぜしめ、その注出口（１１）が形成されている部分（１２）の幅（Ｗ）はペットボトル（Ｂ）の口（Ｃ）の内径（Ｐ）内に納まる程度に区画されていることを特徴とする茶の粉末収容袋。
【請求項２】
上記三角形状部（５）の先端領域（６）の頂部（９）を通る仮想垂直線Ｘに対して直交する仮想水平線を（Ｙ）とし、上記三角形状部（５）を区画する接合面（４）の一辺（７）又は他辺（８）各々と上記仮想水平線（Ｙ）間の成す角度を（Ｑ）とすると共に、上記一辺（７）と他辺（８）間の成す角度を（Ｔ）とすると、Ｑ＜Ｔ＜２×Ｑの関係に定められていることを特徴とする請求項１記載の茶の粉末収容袋。
【請求項３】
上記注出口形成部分（１２）の幅（Ｗ）に対し、注出口（１１）自体の幅を（Ｄ）とし、三角形状部（５）の一辺（７）側の接合面（４）及び他辺（８）側の接合面（４）各々の幅を（Ｅ）とすると、Ｅ＜Ｄ＜２×Ｅの関係に定められていることを特徴とする請求項１記載の茶の粉末収容袋。
【発明の詳細な説明】
【技術分野】
【０００１】
本発明は粉末の茶の袋に係り、更に詳しくは緑茶、麦茶、昆布茶、紅茶、ウーロン茶等いわゆる茶と称されるものの粉末を収納出来、而もそれら粉末茶を簡便にペットボトル等に注出できるようにした袋に関する。
【背景技術】
【０００２】
周知の通り緑茶等の茶葉はいわゆる茶袋に収納されて出荷される。
そして従来の茶袋をみてみると、上、下壁部を左、右壁部からなる断面略四角形の、全体としては角筒状の茶袋が使用されている。（特許文献１参照）
【０００３】
【特許文献１】特開平１１−５８５６３の図４、図５。
【０００４】
上記従来技術によると、当然のことではあるが、全体として角筒状である為に容積が大となって収納量が大きくなることから、開封した後、中の茶葉を１回限りで全部使い切って飲用に供するようにする茶袋にしようとすると、その用には適さない。つまり１回使用の使い捨て袋にはならない。
【０００５】
特に、断面が略四角形であるから、開封の出し口も比較的大きな開口となり中に粉末の茶を収容した袋に用いようとすると、その粉末茶を比較的大きな開口から注出する時に、注入する相手容器に入らず周囲にこぼれ又は飛散してしまうおそれがある。つまり粉末茶の収容袋及び粉末茶の注出用としては不向きである。
【発明の開示】
【発明が解決しようとする課題】
【０００６】
従って本発明の目的とするところは、開封後１回の使用で、使い切る茶の収容袋として好適であり、特に粉末の茶を収容し、他容器へその粉末茶を注出する時にこぼれ落ちたり、飛散したりするおそれのない収納袋を提供するにある。
【課題を解決するための手段】
【０００７】
上記課題を解決するために本発明は次の技術的手段を有する。
即ち実施の形態に付した符号をつけて説明すると、
本願の請求項１の発明は、
表面部２裏面部３を重ね合わせ、その態様でそれらの周囲の接合面４を接合して成る偏平状の収納袋であって、その一部分を切取線に沿って切除することによりできる注出口より中の茶の粉末を外へ注出するようにした茶の粉末収容袋に於いて、この偏平な収容袋はその一部に偏平な三角形状部５が形成され、その三角形状部５の先端領域６に上記切取線１０が表示され、この切取線１０の切除により注出口１１を生ぜしめ、その注出口１１が形成されている部分１２の幅ＷはペットボトルＢの口Ｃの内径Ｐ内に納まる程度に区画されていることを特徴とする茶の粉末収容袋である。
【０００８】
又、本願の請求項２の発明は、
上記三角形状部５の先端領域６の頂部９を通る仮想垂直線Ｘに対して直交する仮想水平線をＹとし、上記三角形状部５を区画する接合面４の一辺７又は他辺８各々と上記仮想水平線Ｙ間の成す角度をＱとすると共に、上記一辺７と他辺８間の成す角度をＴとすると、Ｑ＜Ｔ＜２×Ｑの関係に定められていることを特徴とする請求項１記載の茶の粉末収容袋である。
【０００９】
更に本願の請求項３の発明は、
上記注出口形成部分１２の幅Ｗに対し、注出口１１自体の幅をＤとし、三角形状部５の一辺７側の接合面４及び他辺８側の接合面４各々の幅をＥとすると、Ｅ＜Ｄ＜２×Ｅの関係に定められていることを特徴とする請求項１記載の茶の粉末収容袋である。
【発明の効果】
【００１０】
以上詳述した如く偏平な収容袋なので、一回限りの使用に好適となり、又その一部に偏平な三角形状部５が形成され、その三角形状部５の先端領域６に上記切取線１０が表示され、この切取線１０の切除により注出口１１を生ぜしめ、その注出口１１が形成されている部分１２の幅ＷはペットボトルＢの口Ｃの内径Ｐ内に納まる程度に区画されているので、粉末茶をペットボトルに注出する時に粉末茶がこぼれ落ちたり、飛散することがない。
【００１１】
更に上記三角形状部５の先端領域６の頂部９を通る仮想垂直線Ｘに対して直交する仮想水平線をＹとし、上記三角形状部５を区画する接合面４の一辺７又は他辺８各々と上記仮想水平線Ｙ間の成す角度をＱとすると共に、上記一辺７と他辺８間の成す角度をＴとすると、Ｑ＜Ｔ＜２×Ｑの関係に定められているので、細かい粉末の茶を一度に多量に注出口１１より注出させ過ぎたり、そのことを原因とするブリッジを防止でき、逆に粉末の茶が出にくいという現象も防止できるものである。つまり、上記一辺７と他辺８間の成す角度Ｔが小さすぎると粉末茶は急勾配の一辺７、他辺８のガイドに沿って注出口めがけて落下し、その時多量に急注出せしめられるか、場合によっては粉末がブリッジして団塊状になり注出口からの出が不良になる。逆に一辺７、他辺８間の成す角度Ｔが大になると、粉末は、ゆるい勾配に沿ってガイドされることになるが、ゆるすぎると粉末茶の出が阻害される。これをＱ＜Ｔ＜２×Ｑとすることによって、注出口からこぼれ落ちることもなく、飛散させることもなく順々に注出できるものである。
【００１２】
加えて、上記注出口形成部分１２の幅Ｗに対し、注出口１１自体の幅をＤとし、三角形状部５の一辺７側の接合面４及び他辺８側の接合面４各々の幅をＥとすると、Ｅ＜Ｄ＜２×Ｅの関係に定められているので、粉末茶を注出するに適度に注出口１１の開口面積を定めた上で、注出口１１の左右の接合面４の強度を必要な程度に確保できる。そのことにより、注出口１１をペットボトルの口に当てて中の粉末茶を注出する時に、注出口１１部分が腰くだけ状態等となりにくいので粉末茶の注出がし易い。
【発明を実施するための最良の形態】
【００１３】
次に添付図面に従い本発明の実施形態を説明する。
【００１４】
１は茶の粉末収容袋全体を示し、表面部２と裏面部３を、周囲の接合面４で接合して偏平な収容袋として構成されている。
これら表面部２及び裏面部３は各々一例として積層フィルムで形成されている。例えば外側から順にプラスチックフィルム、接着層、ガスバリヤー層、接着層、熱接着性樹脂層の積層フィルムであり、具体的にはプラスチックフィルムとしてはポリエステルフィルム、２軸延伸ポリプロピレンフィルム、２軸延伸ナイロンフィルム等であり、ガスバリヤー層としてはアルミニウム箔又はアルミニウム蒸着プラスチックフィルムであり、熱接着性樹脂層としてはポリエチレン、ポリプロピレン等である。この実施例では５層の積層フィルムを用いた例を示してある。
即ち、アルミ蒸着ポリエステルの層、ドライの層、ナイロン（登録商標）の層、ポリエチレンの層、リニアポリエチレンの層である。
そして表面部２と裏面部３を重ね合わせる時に、各々の熱接着性樹脂層を対面させて重ね合わせ、一部の周面を残し周面の接合面４で熱融着せしめ、而る後に茶の粉末を中に詰め、残った一部の接合面４を同じく周面の接合面４で熱融着して偏平な茶粉末の袋としたものである。
【００１５】
中に収容する茶粉末Ａは緑茶、麦茶、昆布茶、紅茶、ウーロン茶等の茶葉を公知の粉砕機で粉末化したものである。粉末化は常法に従がって行い、例えば、原料を粉砕機中で粉砕刃を毎分８０００回転位で回転して粉砕し、粉末化し、その後５５０メッシュ位のフルイに通して粉末を得る。
【００１６】
そして、この偏平な袋１の一部、この例では下方に同じく偏平な三角形状部５が一体に形成されている。つまり、表面部２と裏面部３の各々を三角形状部５が一体に形成された五角形状に全体を打ち抜き、それらを互いに接合面４にて接合したものである。
この全体として五角形状の大きさは種々の例を上げることができるが、この例の場合内容物の茶の粉末を一回使用で使い切るようにしたものなので、長方形状部分の幅１０ｃｍ〜１１ｃｍ、長さ１１〜１２ｃｍ、三角形状部分５の一辺、他辺の接合面の端縁７、８各々の長さ１０ｃｍ〜１１ｃｍ位のものとして形成されている。
【００１７】
さて、上記三角形状部５の先端領域６には、頂部９からやや離れた位置に一辺、他辺の接合面の端縁７、８間にかけて切取線１０が表示され、この切取線１０に沿って先端領域６を切除すると注出口１１が生ずる。
【００１８】
ところで本発明に於いては、先ず上記の切取線１０が形成されている部分、即ち注出口形成部分１２の幅ＷをペットボトルＢの口Ｃの内径Ｐに納まる程度に定めたものである。逆に言えば、注出口形成部分１２の幅ＷがペットボトルＢの口Ｃの内径Ｐに納まるようになる位置を定めて切取線１０を印刷手法等により表示せしめたものである。
【００１９】
次いで、上記三角形状部５の先端領域６の頂部９を通る仮想垂直線Ｘに対して直交する仮想水平線をＹとし、上記三角形状部５を区画する接合面４の一辺７又は他辺８各々と上記仮想水平線Ｙ間の成す角度をＱとすると共に、上記一辺７と他辺８間の成す角度をＴとすると、Ｑ＜Ｔ＜２×Ｑの関係に定めたものである。一例を上げれば、上記Ｔは６２〜６４°、上記Ｑは５９°〜５８°である。
こうすることによって、中の茶の粉末が注出口１１より順次的に排出され易い。即ち、上記Ｑが４５°位又はそれ以下であると、勾配がゆるくなって中の茶の粉末が順調に排出されにくくなり、逆にＱが６０°位又はそれ以上であると勾配が大となって中の茶の粉末が急に注出口１１に向うので、ブリッジが生じ注出口１１のところで滞留しがちとなり、却って注出が不調になる。
【００２０】
更に上記注出口形成部分１２の幅Ｗに対し、注出口１１自体の幅をＤとし、三角形状部５の一辺７側の接合面４及び他辺８側の接合面４各々の幅をＥとすると、Ｅ＜Ｄ＜２×Ｅの関係に定めたものである。一例を上げれば、上記Ｅは５ｍｍ、上記Ｄは８ｍｍである。
こうすることによって注出口１１部分をペットボトルＢの口Ｃに当てがった時に、注出口形成部分１２の接合面４に一定の幅（例えば５ｍｍ）があるので、必要な強度を維持でき、腰くだけのようなことが起きない。而も上記Ｄを一定開口面積（例えば８ｍｍの長さ分に相当する開口）に維持でき茶の粉末の注出時のブリッジを防止できる。
【００２１】
次に、この茶の粉末の収容袋１の用い方の一例を説明する。一例として先ず図１２に示すように水の入ったペットボトルＢとグラスＲを用意する。次いで、粉末の茶の袋１の中に収納されている粉末茶Ａの容量分に相当する注入隙間をペットボトルＢにつくる為に図１３に示すようにペットボトルＢの中の水をグラスＲに注出する。
【００２２】
この後袋１の切取線１０に沿って図１０又は図１４に示すようにハサミＳを用いて先端領域６を切除し、注出口１１を生ぜしめる。この注出口１１の形成部分１２の幅Ｗは、ペットボトルＢの口Ｃの内径Ｐに納まる程度となる。図１４はそれを示している。
【００２３】
そして、図１５に示すように袋１中の粉末茶を残さずペットボトルＢ中に注ぐ。つまりハサミＳを用いて注出口１１を生ぜしめた後、袋１中の茶の粉末Ａを１回で使用する。このペットボトルＢの口Ｃに粉末茶Ａを注出する際、粉末茶はブリッジを生ずることなく順次注がれるし、逆に袋１の中に滞留してしまうこともない。更に注出口形成部分１２の左右の接合面４の強度が保たれているので、注出口１１自体が腰くだけとなって、粉末茶の注出が難しくなることもない。
【００２４】
この後図１６に示すようにペットボトルＢにキャップを閉めて、ペットボトルＢを上下に振れば、茶の飲料が完成する。
【００２５】
上記に於いては水に茶の粉末を溶かす例を示したが、水以外の飲料に適用してもよい。
【図面の簡単な説明】
【００２６】
【図１】本発明に係る粉末の茶の袋の一例を示す正面図。
【図２】本発明に係る粉末の茶の袋の一例を示す右側面図。
【図３】本発明に係る粉末の茶の袋の一例を示す上面図。
【図４】図１の４−４線断面図。
【図５】本発明に係る粉末の茶の袋の一例を示す背面図。
【図６】本発明に係る粉末の茶の袋の一例を示す下面図。
【図７】本発明に係る粉末の茶の袋の一例を示す左側面図。
【図８】本発明に係る粉末の茶の袋の一例を示す一部破断面を含む正面図。
【図９】三角形状部の拡大図。
【図１０】切取線に沿って先端領域を切除するところを示した図。
【図１１】注出口より茶の粉末をペットボトルの口に注出するところを示した拡大断面図。
【図１２】ペットボトルとグラスの用意を示す図。
【図１３】ペットボトルに茶の粉末を注出するために隙間をつくる例図。
【図１４】茶の粉末の袋を切取線に沿って切除する図。
【図１５】ペットボトル中に茶の粉末を入れる図。
【図１６】ペットボトル中の茶の粉末を水に溶かす例図。
【符号の説明】
【００２７】
１  茶の粉末収容袋
２  表面部
３  裏面部
４  接合面
５  三角形状部
６  先端領域
７  一辺の接合面の端縁
８  他辺の接合面の端縁
９  頂部
１０  切取線
１１  注出口
１２  注出口形成部分
Ｗ  注出口形成部分の幅
Ｄ  注出口の幅
Ｅ  一辺、他辺の接合面の幅
Ｘ  三角形状部の頂部を通る仮想垂直線
Ｙ  仮想垂直線Ｘに直交する仮想水平線
Ｑ  一辺、他辺の接合面の端縁各々と仮想水平線の成す角度
Ｔ  一辺、他辺の接合面の端縁間の成す角度
Ａ  粉末の茶
Ｂ  ペットボトル
Ｃ  ペットボトルの口
Ｐ  ペットボトルの口の内径
Ｒ  コップ
Ｓ  ハサミ
【図１】
2006056547.tif 000003
【図２】
2006056547.tif 000004
【図３】
2006056547.tif 000005
【図４】
2006056547.tif 000006
【図５】
2006056547.tif 000007
【図６】
2006056547.tif 000008
【図７】
2006056547.tif 000009
【図８】
2006056547.tif 000010
【図９】
2006056547.tif 000011
【図１０】
2006056547.tif 000012
【図１１】
2006056547.tif 000013
【図１２】
2006056547.tif 000014
【図１３】
2006056547.tif 000015
【図１４】
2006056547.tif 000016
【図１５】
2006056547.tif 000017
【図１６】
2006056547.tif 000018